(57)【要約】【課題】色温度可変式可視光通信システムにおいて、光の色温度を所望の色温度に設定できると共に、設定した色温度に保ったまま、送信データ量を大きくする。【解決手段】色温度可変式可視光通信システム１は、赤、緑、青の各色の光を発光するＬＥＤ２１、２２、２３と、ＬＥＤ２１、２２、２３による光の色温度を設定する操作部５と、設定された色温度になるように、各ＬＥＤ２１、２２、２３に供給される矩形波電流のデューティ比を制御するＬＥＤ制御部６と、通信信号を設定する通信設定部７と、通信信号に応じて、ＬＥＤ２１、２２、２３の光を変調する送信制御部８１、８２、８３とを備える。送信制御部８１、８２、８３は、ＬＥＤ２１、２２、２３に供給される矩形波電流のデューティ比に応じて、通信信号のパケット長を調整したうえで、ＬＥＤ２１、２２、２３に供給される矩形波電流に、通信信号に応じた信号電流を重畳する。【選択図】図１
2009100063.tif 000002
【特許請求の範囲】
【請求項１】
赤、緑、青の各色の光を発光する複数のＬＥＤと、
前記複数のＬＥＤを発光させたときの光の色温度を設定する操作部と、
前記操作部により設定された色温度になるように、前記各ＬＥＤへ供給される矩形波電流のデューティ比を制御するＬＥＤ制御部と、
前記ＬＥＤから発光される光を利用して伝送する通信信号を設定する通信設定部と、
前記ＬＥＤ制御部によりデューティ比が制御された矩形波電流に、前記通信設定部により設定された通信信号に応じた信号電流を重畳する送信制御部と、
前記ＬＥＤから発光された光を受信する受信部とを備え、
前記受信部の受信出力信号を解析して、前記通信設定部により設定された通信信号を復元する色温度可変式可視光通信システムであって、
前記送信制御部は、前記ＬＥＤ制御部により制御された矩形波電流のデューティ比に応じて、前記通信設定部により設定された通信信号のパケット長を調整するパケット長調整手段を有することを特徴とする色温度可変式可視光通信システム。
【発明の詳細な説明】
【技術分野】
【０００１】
本発明は、可視光を利用して信号を伝送する色温度可変式可視光通信システムに関するものである。
【背景技術】
【０００２】
従来から、可視光通信システムとして、例えば、特許文献１に示されるように、赤、緑、青の各色の光を発光する３つのＬＥＤを持ち、それらの各ＬＥＤを個別の点灯パターンで点灯させて信号を送信し、赤色の光のみを検出するフォトダイオード、緑色の光のみを検出するフォトダイオード、及び青色の光のみを検出するフォトダイオードにて、各ＬＥＤの光により送信される信号を受信するようにしたものが知られている。また、例えば、特許文献２に示されるように、信号を送信しない通常時と信号を送信する通信時とで可視光の明るさが変わらないように、平均電流が一定となるように通信信号を変調した変調信号を、ＬＥＤの発光時間比率を調整する調光信号に重畳するようにした可視光通信システムが知られている。
【特許文献１】特開２００３−３１８８３６号公報
【特許文献２】特開２００７−１０４７２２号公報
【発明の開示】
【発明が解決しようとする課題】
【０００３】
しかしながら、上述した特許文献１に記載の可視光通信システムにおいては、赤、緑、青の光を発光する各ＬＥＤを個別の点灯パターンで点灯させて信号を送信しているため、送信データ量は多くなるが、赤色の光のみを検出するフォトダイオード、緑色の光のみを検出するフォトダイオード、及び青色の光のみを検出するフォトダイオードの合計３つのフォトダイオードが必要であり、コストが増える。また、送信する信号に応じて各ＬＥＤを個別の点灯パターンで点灯させるため、ＬＥＤを発光させたときの光の色温度を所望の色温度に設定することも困難である。
【０００４】
光の色温度を所望の色温度に設定して、その設定した所望の色温度に保ったまま、信号を送信するには、ＬＥＤに供給する電流をＰＷＭ制御して、そのオンデューティの区間に、送信する信号を重畳させる方法が考えられる。しかしながら、ＬＥＤに供給する電流をＰＷＭ制御すると、オンデューティの区間は信号を送信できるが、オフデューティの区間は信号を送信できず、しかも、各ＬＥＤに供給する電流のデューティ比は設定した色温度によって異なるものとなる。このため、単に、ＬＥＤに供給する電流をＰＷＭ制御して、送信する信号を重畳させるだけでは、送信データ量が少なくなってしまう。
【０００５】
なお、特許文献２に記載の可視光通信システムにおいては、赤、緑、青の各色の光を発光する複数のＬＥＤを持っておらず、ＬＥＤを発光させたときの光の色温度を所望の色温度に設定できるようにはなっていない。
【０００６】
本発明は、上記課題を解決するためになされたものであり、光の色温度を所望の色温度に設定できると共に、設定した色温度に保ったまま、送信データ量を大きくすることができる色温度可変式可視光通信システムを提供することを目的とする。
【課題を解決するための手段】
【０００７】
上記目的を達成するために請求項１の発明は、赤、緑、青の各色の光を発光する複数のＬＥＤと、複数のＬＥＤを発光させたときの光の色温度を設定する操作部と、操作部により設定された色温度になるように、各ＬＥＤへ供給される矩形波電流のデューティ比を制御するＬＥＤ制御部と、ＬＥＤから発光される光を利用して伝送する通信信号を設定する通信設定部と、ＬＥＤ制御部によりデューティ比が制御された矩形波電流に、通信設定部により設定された通信信号に応じた信号電流を重畳する送信制御部と、ＬＥＤから発光された光を受信する受信部とを備え、受信部の受信出力信号を解析して、通信設定部により設定された通信信号を復元する色温度可変式可視光通信システムであって、送信制御部は、ＬＥＤ制御部により制御された矩形波電流のデューティ比に応じて、通信設定部により設定された通信信号のパケット長を調整するパケット長調整手段を有するものである。
【発明の効果】
【０００８】
請求項１の発明によれば、操作部により光の色温度が設定されると、ＬＥＤを発光させたときの光の色温度がその設定色温度となるように、ＬＥＤに供給される矩形波電流のデューティ比が制御され、そして、そのデューティ比が制御された矩形波電流に、通信信号に応じた信号電流が重畳される。これにより、ＬＥＤを発光させたときの光の色温度を所望の色温度に設定できると共に、ＬＥＤを発光させたときの光の色温度をその設定色温度に保ったまま、ＬＥＤの光によって信号を送信することができる。しかも、ＬＥＤに供給される矩形波電流のデューティ比に応じて、通信信号のパケット長が調整されたうえで、ＬＥＤに供給される矩形波電流に通信信号に応じた信号電流が重畳される。従って、ＬＥＤに供給される矩形波電流のオンデューティの区間に無駄なく信号電流を重畳できるように、通信信号のパケット長を調整することが可能であり、ＬＥＤの光によって送信する信号の送信データ量を多くすることができる。
【発明を実施するための最良の形態】
【０００９】
以下、本発明を具体化した実施形態による色温度可変式可視光通信システムについて図面を参照して説明する。図１は、色温度可変式可視光通信システムの構成を示す。色温度可変式可視光通信システム１は、可視光を利用して信号を伝送するシステムであり、例えば、地下などの電波の届かない場所において、可視光による照明を兼ねて用いられる。この色温度可変式可視光通信システムは、可視光の色温度を任意の色温度に設定できるようになっている。
【００１０】
色温度可変式可視光通信システム１は、赤（Ｒ）、緑（Ｇ）、青（Ｂ）の各色の光を発光する３つのＬＥＤ２１、２２、２３（図示のＲ−ＬＥＤ、Ｇ−ＬＥＤ、Ｂ−ＬＥＤ）と、これら３つのＬＥＤ２１、２２、２３を点灯させるための電源３と、ＬＥＤ２１、２２、２３に駆動電流を供給／切断するスイッチング素子４１、４２、４３と、ＬＥＤ２１、２２、２３を同時に点灯させたときに得られる合成光の色温度を設定するための操作部５と、ＬＥＤ２１、２２、２３の点灯を制御するＬＥＤ制御部６とを備える。また、色温度可変式可視光通信システム１は、通信信号を設定する通信設定部７と、通信信号に応じてＬＥＤ２１、２２、２３の光を変調する送信制御部８１、８２、８３と、ＬＥＤ２１、２２、２３の光を受信する受信部９等を備える。
【００１１】
ＬＥＤ２１は、赤色の光を発光するＬＥＤであり、ＬＥＤ２２は、緑色の光を発光するＬＥＤであり、ＬＥＤ２３は、青色の光を発光するＬＥＤである。電源３は、ＬＥＤ２１、２２、２３を点灯駆動するための駆動電流を、スイッチング素子４１、４２、４３及び送信制御部８１、８２、８３を経由して、ＬＥＤ２１、２２、２３に供給する。
【００１２】
スイッチング素子４１、４２、４３は、各々、ＬＥＤ制御部６からの矩形波信号によって、オン／オフ制御される。スイッチング素子４１がオンのとき、電源３から送信制御部８１を経由してＬＥＤ２１に駆動電流が供給され、スイッチング素子４１がオフのとき、電源３からＬＥＤ２１への駆動電流の供給が断たれる。また、スイッチング素子４２がオンのとき、電源３から送信制御部８２を経由してＬＥＤ２２に駆動電流が供給され、スイッチング素子４２がオフのとき、電源３からＬＥＤ２２への駆動電流の供給が断たれる。また、スイッチング素子４３がオンのとき、電源３から送信制御部８３を経由してＬＥＤ２３に駆動電流が供給され、スイッチング素子４３がオフのとき、電源３からＬＥＤ２３への駆動電流の供給が断たれる。
【００１３】
操作部５は、ユーザに操作されるようになっており、ユーザの操作を受けて、ＬＥＤ２１、２２、２３を発光させたときの光の色温度を設定し、その設定色温度を示す色温度設定信号をＬＥＤ制御部６に与える。
【００１４】
ＬＥＤ制御部６は、スイッチング素子４１、４２、４３に矩形波信号を与えて、スイッチング素子４１、４２、４３をオン／オフ制御することにより、ＬＥＤ２１、２２、２３への駆動電流の供給を制御して、ＬＥＤ２１、２２、２３の点灯を制御する。このとき、ＬＥＤ制御部６は、スイッチング素子４１、４２、４３のオン／オフによるＰＷＭ制御により、ＬＥＤ２１、２２、２３に供給される駆動電流の電流値を制御して、ＬＥＤ２１、２２、２３の発光強度を制御する。すなわち、ＬＥＤ２１、２２、２３に供給される駆動電流は、スイッチング素子４１、４２、４３のオン／オフによるＰＷＭ制御により、矩形波電流となり、そして、その駆動電流（矩形波電流）のデューティ比が制御されることにより、駆動電流の電流値が制御されて、ＬＥＤ２１、２２、２３の発光強度が制御される。
【００１５】
ＬＥＤ２１、２２、２３による光の色温度は、ＬＥＤ２１、２２、２３の各々の発光強度、すなわち、ＬＥＤ２１、２２、２３の各々に供給される駆動電流の電流値に依存する。従って、ＬＥＤ２１、２２、２３の各々に供給される駆動電流のデューティ比が制御されることにより、ＬＥＤ２１、２２、２３による光の色温度が制御される。
【００１６】
ＬＥＤ制御部６は、操作部５から与えられた色温度設定信号に基いて、ＬＥＤ２１、２２、２３による光の色温度が操作部５の操作により設定された設定色温度となるように、スイッチング素子４１、４２、４３のオン／オフを制御して、ＬＥＤ２１、２２、２３の各々に供給される駆動電流のデューティ比を制御する。ＬＥＤ制御部６による駆動電流のデューティ比の制御方法については後述する。また、ＬＥＤ制御部６は、ＬＥＤ２１、２２、２３に供給される駆動電流のデューティ比を示すデューティ比信号を通信設定部７に与える。
【００１７】
通信設定部７は、例えば、画像、音声、現在位置情報等を含んだ通信信号を設定して、その通信信号を送信制御部８１、８２、８３のいずれか１つに供給する。このとき、通信設定部７は、ＬＥＤ制御部６から与えられるデューティ比信号に基いて、送信制御部８１、８２、８３のうち、オンデューティの区間の最も大きい駆動電流が供給される送信制御部に、通信信号を供給する。
【００１８】
送信制御部８１、８２、８３は、各々、ＬＥＤ２１、２２、２３に供給される駆動電流（ＬＥＤ制御部６によりデューティ比が制御された矩形波電流）に、通信設定部７により設定された通信信号に応じた信号電流を重畳する。すなわち、送信制御部８１は、通信設定部７から通信信号が供給されると、その通信信号に応じた信号電流を生成し、その信号電流をＬＥＤ２１に供給される駆動電流に重畳する。これにより、ＬＥＤ２１から発光される光は、通信信号に応じた信号電流によって変調された光となり、ＬＥＤ２１から発光される光によって通信信号が送信される。また、送信制御部８２は、通信設定部７から通信信号が供給されると、その通信信号に応じた信号電流を生成し、その信号電流をＬＥＤ２２に供給される駆動電流に重畳する。これにより、ＬＥＤ２２から発光される光は、通信信号に応じた信号によって変調された光となり、ＬＥＤ２２から発光される光によって通信信号が送信される。また、送信制御部８３は、通信設定部７から通信信号が供給されると、その通信信号に応じた信号電流を生成し、その信号電流をＬＥＤ２３に供給される駆動電流に重畳する。これにより、ＬＥＤ２３から発光される光は、通信信号に応じた信号によって変調された光となり、ＬＥＤ２３から発光される光によって通信信号が送信される。送信制御部８１、８２、８３による駆動電流への通信信号に応じた信号電流の重畳方法については後述する。
【００１９】
受信部９は、ＬＥＤ２１、２２、２３から発光された光を受信し、その受信出力信号を解析して、ＬＥＤ２１、２２、２３の光によって送信された通信信号（すなわち通信設定部７により設定された通信信号）を復元する。受信部９は、赤色の光から青色の光に亘る受信帯域を有する１つのフォトダイオードと、フォトダイオードの受信出力信号を増幅する増幅部と、増幅部により増幅された受信出力信号を解析する信号解析部等から成っている。
【００２０】
図２、図３は、上記ＬＥＤ制御部６による、ＬＥＤ２１、２２、２３に供給される駆動電流のデューティ比の制御方法を示す。ＬＥＤ制御部６は、マイコンを有しており、マイコンは、３つのタイマ出力を持っている。ＬＥＤ制御部６は、この３つのタイマ出力に基いて、スイッチング素子４１、４２、４３に矩形波信号を与えることにより、スイッチング素子４１、４２、４３をオン／オフ制御して、ＬＥＤ２１、２２、２３に供給される駆動電流をＰＷＭ制御する。
【００２１】
すなわち、ＬＥＤ制御部６は、図２に示すように、スイッチング素子４１、４２、４３に与える各矩形波信号（ＰＷＭ１、ＰＷＭ２、ＰＷＭ３）のＰＷＭ周期を１ｍｓに設定すると共に、各矩形波信号（ＰＷＭ１、ＰＷＭ２、ＰＷＭ３）のオンデューティ時間に対応する３つのタイマ出力値（タイマ値１、タイマ値２、タイマ値３）を設定する。ここで、ＰＷＭ１は、スイッチング素子４１に与える矩形波信号であり、ＰＷＭ２は、スイッチング素子４２に与える矩形波信号であり、ＰＷＭ３は、スイッチング素子４３に与える矩形波信号である。また、タイマ値１は、矩形波信号（ＰＷＭ１）のオンデューティ時間として設定される時間であり、タイマ値２は、矩形波信号（ＰＷＭ２）のオンデューティ時間として設定される時間であり、タイマ値３は、矩形波信号（ＰＷＭ３）のオンデューティ時間として設定される時間である。
【００２２】
そして、ＬＥＤ制御部６は、ＰＷＭ周期で（すなわち１ｍｓ毎に）、各矩形波信号（ＰＷＭ１、ＰＷＭ２、ＰＷＭ３）をＨ（ハイレベル）にすると共に、タイマ値１として設定された時間が経過すると、矩形波信号（ＰＷＭ１）をＬ（ローレベル）にし、タイマ値２として設定された時間が経過すると、矩形波信号（ＰＷＭ２）をＬにし、タイマ値３として設定された時間が経過すると、矩形波信号（ＰＷＭ３）をＬにする。
【００２３】
これにより、スイッチング素子４１に与えられる矩形波信号（ＰＷＭ１）は、タイマ値１として設定された時間がオンデューティ時間となる矩形波が、１ｍｓの周期で繰り返される信号となる。また、スイッチング素子４２に与えられる矩形波信号（ＰＷＭ２）は、タイマ値２として設定された時間がオンデューティ時間となる矩形波が、１ｍｓの周期で繰り返される信号となり、スイッチング素子４３に与えられる矩形波信号（ＰＷＭ３）は、タイマ値３として設定された時間がオンデューティ時間となる矩形波が、１ｍｓの周期で繰り返される信号となる。
【００２４】
スイッチング素子４１、４２、４３は、与えられる信号がＨのときに、オンになり、与えられる信号がＬのときに、オフになる。すなわち、スイッチング素子４１、４２、４３は、与えられる矩形波信号（ＰＷＭ１、ＰＷＭ２、ＰＷＭ３）のオンデューティ時間だけオンになり、それ以外の時間（オフデューティの時間）は、オフになる。
【００２５】
従って、ＬＥＤ２１に供給される駆動電流は、スイッチング素子４１のオン／オフに応じて、ＰＷＭ制御され、タイマ値１として設定された時間がオンデューティ時間となる矩形波が、１ｍｓの周期で繰り返される矩形波電流となる。また、ＬＥＤ２２に供給される駆動電流は、スイッチング素子４２のオン／オフに応じて、ＰＷＭ制御され、タイマ値２として設定された時間がオンデューティ時間となる矩形波が、１ｍｓの周期で繰り返される矩形波電流となり、ＬＥＤ２３に供給される駆動電流は、スイッチング素子４３のオン／オフに応じて、ＰＷＭ制御され、タイマ値３として設定された時間がオンデューティ時間となる矩形波が、１ｍｓの周期で繰り返される矩形波電流となる。
【００２６】
また、ＬＥＤ制御部６は、図３に示すように、設定色温度とＬＥＤ２１、２２、２３に供給される各駆動電流のオンデューティ時間との対応を定めたテーブルを持っている。ＬＥＤ制御部６は、このテーブルに従ってタイマ値１、タイマ値２、タイマ値３を設定して、スイッチング素子４１、４２、４３のオン／オフ（オンデューティ時間）を制御する。これにより、ＬＥＤ２１、２２、２３に供給される各駆動電流は、設定色温度に対応して定められたオンデューティ時間（デューティ比）でＰＷＭ制御された矩形波電流となり、ＬＥＤ２１、２２、２３による光の色温度は、操作部５の操作により設定された設定色温度となる。
【００２７】
図３に示す例では、設定色温度が３０００ｋを示している場合には、ＬＥＤ２１に供給する駆動電流のオンデューティ時間は９００μｓ、ＬＥＤ２２に供給する駆動電流のオンデューティ時間は５００μｓ、ＬＥＤ２３に供給する駆動電流のオンデューティ時間は３００μｓとなっている。従って、操作部５の操作により設定された色温度が３０００ｋを示している場合には、ＬＥＤ制御部６は、タイマ値１を９００μｓ、タイマ値２を５００μｓ、タイマ値３を３００μｓに設定する。これにより、ＬＥＤ２１に供給される駆動電流のオンデューティ時間は９００μｓ、ＬＥＤ２２に供給される駆動電流のオンデューティ時間は５００μｓ、ＬＥＤ２３に供給される駆動電流のオンデューティ時間は３００μｓとなり、ＬＥＤ２１、２２、２３による光の色温度は、操作部５の操作により設定された設定色温度である３０００ｋとなる。ＬＥＤ制御部６は、このようにして、ＬＥＤ２１、２２、２３に供給される駆動電流のデューティ比を制御する。
【００２８】
図４、図５、図６、図７は、上記送信制御部８１、８２、８３による、ＬＥＤ２１、２２、２３に供給される駆動電流への通信信号に応じた信号電流の重畳方法を示す。送信制御部８１、８２、８３は、各々、ＬＥＤ２１、２２、２３に供給される駆動電流に通信信号に応じた信号電流を重畳する。送信制御部８１による信号電流の重畳方法、送信制御部８２による信号電流の重畳方法、及び送信制御部８３による信号電流の重畳方法は同様であり、以下に、送信制御部８１による信号電流の重畳方法について説明する。
【００２９】
送信制御部８１は、通信設定部７から通信信号が供給されると、まず、図４に示すように、通信信号（メインデータ）をｎ個（複数個）の分割データ（分割データ１、分割データ２、・・・、分割データｎ）に分割して、ｎ個のパケットを作成する。各パケットは、図５に示すように、スタートコード（８ｂｉｔ）、送信ＩＤ（８ｂｉｔ）、分割データ（８〜１２８ｂｉｔ可変長）、エンドコード（８ｂｉｔ）により構成される。
【００３０】
そして、送信制御部８１は、各パケットを変調して信号電流を生成し、信号電流に変調した各パケットを、ＬＥＤ２１に供給される（ＬＥＤ制御部６によりデューティ比が制御された）駆動電流（ＰＷＭ−Ｒ）に重畳する。このとき、送信制御部８１は、図６に示すように、１つのパケットを、ＬＥＤ２１に供給される駆動電流の１つのオンデューティ区間に重畳する。すなわち、送信制御部８１は、図７に示すように、通信信号を分割して作成したｎ個のパケットを、ＬＥＤ２１に供給される駆動電流のｎ個のオンデューティ区間に重畳する。これにより、ＬＥＤ２１から発光される光は、通信信号に応じて変調された光となり、ＬＥＤ２１の光によって通信信号が送信される。
【００３１】
送信制御部８１は、通信信号を分割してパケットを作成するとき、ＬＥＤ２１に供給される駆動電流のオンデューティ時間の長さ（すなわち駆動電流のデューティ比）に応じて、パケット長（分割データ長（８〜１２８ｂｉｔ））を調整する。すなわち、送信制御部８１は、ＬＥＤ２１に供給される駆動電流のオンデューティ時間の長さを測定して、オンデューティ区間に無駄なくデータを重畳できるパケット長を算出し、その算出したパケット長となるように、通信信号をｎ個の分割データに分割してｎ個のパケットを作成する。これにより、送信する信号のデータ量を多くすることができる。
【００３２】
なお、送信制御部８１は、図８に示すように、駆動電流のオンデューティ時間と通信信号のパケット分割数との対応を定めたテーブルを持っていて、そのテーブルに従って、通信信号を分割データに分割してパケットを作成するようにしてもよい。
【００３３】
また、送信制御部８１は、ＬＥＤ２１に供給される駆動電流の電流値が変化しないように、各パケットをＬＥＤ２１に供給される駆動電流の各オンデューティ区間に重畳する。これにより、ＬＥＤ２１の発光強度が一定に保たれたまま（従って、ＬＥＤ２１、ＬＥＤ２２、及びＬＥＤ２３による光の色温度が一定に保たれたまま）、ＬＥＤ２１の光によって通信信号が送信される。送信制御部８１は、このようにして、ＬＥＤ２１に供給される駆動電流に通信信号に応じた信号電流を重畳する。
【００３４】
送信制御部８２、８３は、送信制御部８１と同様にして、ＬＥＤ２２、２３に供給される駆動電流に通信信号に応じた信号電流を重畳する。受信部９は、ＬＥＤ２１、２２、２３の光を受信し、信号電流の重畳部分を解析して各分割データを復元し、各分割データを結合して通信信号を復元する。
【００３５】
このような構成の色温度可変式可視光通信システム１によれば、操作部５により光の色温度が設定されると、ＬＥＤ２１、２２、２３を発光させたときの光の色温度がその設定色温度となるように、ＬＥＤ２１、２２、２３に供給される矩形波電流（駆動電流）のデューティ比が制御され、そして、そのデューティ比が制御された矩形波電流に、通信信号に応じた信号電流が重畳される。これにより、ＬＥＤ２１、２２、２３を発光させたときの光の色温度を所望の色温度に設定できると共に、ＬＥＤ２１、２２、２３を発光させたときの光の色温度をその設定色温度に保ったまま、ＬＥＤ２１、２２、２３の光によって信号を送信することができる。
【００３６】
しかも、ＬＥＤ２１、２２、２３に供給される矩形波電流のデューティ比に応じて、通信信号のパケット長が調整されたうえで、ＬＥＤ２１、２２、２３に供給される矩形波電流に通信信号に応じた信号電流が重畳される。従って、ＬＥＤ２１、２２、２３に供給される矩形波電流のオンデューティの区間に無駄なく信号電流を重畳できるように、通信信号のパケット長を調整することが可能であり、ＬＥＤ２１、２２、２３の光によって送信する信号の送信データ量を多くすることができる。
【００３７】
また、ＬＥＤ２１、２２、２３のうち、いずれか１つのＬＥＤの光によって信号が送信されるため、受信部９は、フォトダイオードを１つ有していればよく、コストダウンになる。しかも、ＬＥＤ２１、２２、２３のうち、オンデューティ時間の最も長い駆動電流が供給されるＬＥＤの光によって信号が送信されるため、受信部９がフォトダイオードを１つ有する構成において、送信する信号のデータ量を多くすることができる。
【００３８】
なお、本発明は、上記実施形態の構成に限られず、種々の変形が可能である。例えば、ＬＥＤ２１、２２、２３に供給される駆動電流のデューティ時間の長短に関わらず、ＬＥＤ２１、２２、２３のいずれのＬＥＤの光によって信号を送信するようにしてもよい。また、ＬＥＤ２１、２２、２３の全てのＬＥＤの光によって同時（多重）に信号を送信するようにしてもよい。この場合、通信設定部７が、送信制御部８１、８２、８３の全てに並行して通信信号を供給するようにし、また、受信部９に、赤色の光のみを検出するフォトダイオード、緑色の光のみを検出するフォトダイオード、及び青色の光のみを検出するフォトダイオードの合計３つのフォトダイオードを設ければよい。
【図面の簡単な説明】
【００３９】
【図１】本発明の一実施形態に係る色温度可変式可視光通信システムの電気的ブロック構成図。
【図２】同色温度可変式可視光通信システムのスイッチング素子をオン／オフ制御する矩形波信号の波形を示す図。
【図３】同色温度可変式可視光通信システムの設定色温度とＬＥＤの駆動電流のオンデューティ時間との対応を定めたテーブルを示す図。
【図４】同色温度可変式可視光通信システムの通信信号及び通信信号を分割した分割データを示す図。
【図５】同色温度可変式可視光通信システムの通信信号を分割して作成した１つのパケットのデータ構成を示す図。
【図６】同色温度可変式可視光通信システムの通信信号を分割した１つのパケットをＬＥＤの駆動電流の１つのオンデューティ区間に重畳するときの波形を示す図。
【図７】同色温度可変式可視光通信システムの通信信号を分割したｎ個のパケットをＬＥＤの駆動電流のｎ個のオンデューティ区間に重畳するときの波形を示す図。
【図８】同色温度可変式可視光通信システムのＬＥＤの駆動電流のオンデューティ時間と通信信号のパケット分割数との対応を定めたテーブルを示す図。
【符号の説明】
【００４０】
１    色温度可変式可視光通信システム
２１、２２、２３    ＬＥＤ
３    電源
４１、４２、４３    スイッチング素子
５    操作部
６    ＬＥＤ制御部
７    通信設定部
８１、８２、８３    送信制御部
９    受信部
【図１】
2009100063.tif 000003
【図２】
2009100063.tif 000004
【図３】
2009100063.tif 000005
【図４】
2009100063.tif 000006
【図５】
2009100063.tif 000007
【図６】
2009100063.tif 000008
【図７】
2009100063.tif 000009
【図８】
2009100063.tif 000010